(57)【要約】      （修正有）【課題】腹筋を鍛錬でき、腰部を捩じれることができるボートこぎ健康器具を提供する。【解決手段】第１支持枠１１と、第２支持枠１２と、を備え、第１支持枠１１と第２支持枠１２は、折畳むことができ、又は開角をなして床面に立つことができ、その枢着箇所が枢着端１０であり、枢着端１０に第１握り部１０１が設けられ、第１支持枠１１の枢着端１０から遠ざかった一端に第１横ロッド１１１が設けられ、第２支持枠１２の枢着端１０から遠ざかった一端に第２横ロッド１２１が設けられる支持装置と、第１横ロッド１１１の両端、又は第２横ロッド１２１の両端に脱着可能に設けられる二つの弾性ロープ２と、座当り３１と、摺動台と、を備え、摺動台の両側には、第２握り部３２１がそれぞれ設けられ、摺動台には、座当りが回動可能に設けられ、摺動台は、第２支持枠１２をレールとして、第２支持枠１２を摺動でき、且つ座当りを駆動して移動できる摺動装置と、を含む。【選択図】図１
0003179285.tif 000002
【実用新案登録請求の範囲】
【請求項１】
第１支持枠と、前記第１支持枠に枢着される第２支持枠と、を備え、前記第１支持枠と前記第２支持枠は、折畳むことができ、又は開角をなして床面に立つことができ、その枢着箇所が枢着端であり、前記枢着端に第１握り部が設けられ、前記第１支持枠の前記枢着端から遠ざかった一端に第１横ロッドが設けられ、前記第２支持枠の前記枢着端から遠ざかった一端に第２横ロッドが設けられる支持装置と、
前記第１横ロッドの両端、又は前記第２横ロッドの両端に脱着可能に設けられる二つの弾性ロープと、
座当りと、摺動台と、を含み、前記摺動台の両側には、第２握り部がそれぞれ設けられ、前記摺動台には、前記座当りが回動可能に設けられ、前記摺動台は、前記第２支持枠をレールとして、前記第２支持枠を摺動でき、且つ前記座当りを駆動して移動できる摺動装置と、
を含むことを特徴とするボートこぎ健康器具。
【請求項２】
前記摺動台には、第１ローラと、第２ローラと、第３ローラと、が設けられ、前記第１ローラは前記第２支持枠の上面を転がり、前記第２ローラは前記第２支持枠の下面を転がり、前記第３ローラは、前記第２支持枠の上面を転がり、前記第２ローラに平行するように設けられ、前記摺動台は、前記第２支持枠を摺動でき、且つ前記座当りを駆動して移動できることを特徴とする、請求項１に記載のボートこぎ健康器具。
【請求項３】
前記摺動台の上面の中央に枢着穴が設けられ、前記座当りの下面には、前記枢着穴に対応する枢着軸が設けられ、前記枢着軸は、前記枢着穴に挿入して前記枢着穴に対して回動でき、前記枢着軸の周面に軸受が設けられ、前記軸受は、前記枢着軸と前記枢着穴の間に位置し、前記枢着軸と前記枢着穴の間にある隙間を除去でき、これにより、前記座当りの回動が更にスムーズとなることを特徴とする、請求項１に記載のボートこぎ健康器具。
【考案の詳細な説明】
【技術分野】
【０００１】
本考案は、健康器具に関し、特に、腹筋を鍛錬でき、腰部を捩じれることができ、ボートを漕ぐと同じ運動効果を得られるボートこぎ健康器具に関するものである。
【背景技術】
【０００２】
市販している健康器具は、ユーザの身体を鍛錬できる他、ユーザの身体の一部に対して鍛錬を強化することもできる。市販している健康器具のうちに、身体をプルアップする健康器具が国民に愛用されている。身体をプルアップする健康器具を利用すると、背部の筋肉を伸ばすことができ、背部の曲線を綺麗にすることもできる。身体をプルアップする健康器具は、高さがユーザの胸部よりも高い横ロッドが必要であり、ユーザの両手が前記横ロッドを握って、アーム及び背部の力により身体を繰り返してプルアップすると、アーム及び背部を鍛錬できる。しかしながら、一般の家庭では、身体をプルアップする健康器具を設置するスペースがないため、ユーザは公園やジムなどに行く必要がある。そして従来の健康器具は、ユーザの身体の一部だけを鍛錬できるため、鍛錬効果が不足である。
【考案の概要】
【考案が解決しようとする課題】
【０００３】
本考案の主な目的は、腹筋を鍛錬でき、腰部を捩じれることができ、ボートを漕ぐと同じ運動効果を得られるボートこぎ健康器具を提供することにある。
【課題を解決するための手段】
【０００４】
本考案のボートこぎ健康器具によると、第１支持枠と、第１支持枠に枢着される第２支持枠と、を備え、第１支持枠と第２支持枠は、折畳むことができ、又は開角をなして床面に立つことができ、その枢着箇所が枢着端であり、枢着端に第１握り部が設けられ、第１支持枠の枢着端から遠ざかった一端に第１横ロッドが設けられ、第２支持枠の枢着端から遠ざかった一端に第２横ロッドが設けられる支持装置と、
第１横ロッドの両端、又は第２横ロッドの両端に脱着可能に設けられる二つの弾性ロープと、
座当りと、摺動台と、を備え、摺動台の両側には、第２握り部がそれぞれ設けられ、摺動台には、座当りが回動可能に設けられ、摺動台は、第２支持枠をレールとして、第２支持枠を摺動でき、且つ座当りを駆動して移動できる摺動装置と、
を含むことを特徴とする。
【０００５】
本考案のボートこぎ健康器具によると、摺動台には、第１ローラと、第２ローラと、第３ローラと、が設けられ、第１ローラは第２支持枠の上面を転がり、第２ローラは第２支持枠の下面を転がり、第３ローラは、第２支持枠の上面を転がり、第２ローラに平行するように設けられ、摺動台は、第２支持枠を摺動でき、且つ座当りを駆動して移動できることを特徴とする。
【０００６】
本考案のボートこぎ健康器具によると、摺動台の上面の中央に枢着穴が設けられ、座当りの下面には、枢着穴に対応する枢着軸が設けられ、枢着軸は、枢着穴に挿入して枢着穴に対して回動でき、枢着軸の周面に軸受が設けられ、軸受は、枢着軸と枢着穴の間に位置し、枢着軸と枢着穴の間にある隙間を除去でき、これにより、座当りの回動が更にスムーズとなることを特徴とする。
【考案の効果】
【０００７】
本考案のボートこぎ健康器具によれば、次のような効果がある。
（１）腹筋を鍛錬でき、腰部を捩じれることができ、ボートを漕ぐと同じ運動効果を得られる。
【０００８】
（２）第１支持枠と第２支持枠の開角を調整できるため、訓練の強度を変化でき、ユーザのレベルに合う訓練を行うことができる。
【０００９】
（３）構造は簡易であり、そして運搬は容易である。
【００１０】
（４）第１支持枠と第２支持枠を折畳むことができるため、収納スペースを減少できる。
【図面の簡単な説明】
【００１１】
【図１】本考案の実施例１の組合済み状態を示す斜視図である。
【図２】本考案の実施例２の使用方法を示す模式図である。
【図３】本考案の第１支持枠と第２支持枠を折畳んだ状態を示す分解斜視図である。
【図４】本考案の実施例２の使用状態を示す模式図（１）である。
【図５】本考案の実施例２の使用状態を示す模式図（２）である。
【図６】本考案の実施例２の使用状態を示す模式図（３）である。
【図７】本考案の実施例２の使用状態を示す模式図（４）である。
【図８】本考案の実施例１の使用状態を示す模式図である。
【考案を実施するための最良の形態】
【００１２】
以下、本考案の実施の形態を図面に基づいて説明する。
まず、図１乃至図８を参照する。本考案のボートこぎ健康器具は、支持装置１と、二つの弾性ロープ２と、摺動装置３と、を含む。支持装置１は、第１支持枠１１と、第１支持枠１１に枢着される第２支持枠１２と、を含む。第１支持枠１１と第２支持枠１２は、折畳むことができ、又は開角をなして床面に立つことができ、その枢着箇所が枢着端１０である。枢着端１０に調整具１４が設けられる。調整具１４により、第１支持枠１１と第２支持枠１２の開角を調整でき、これにより、ユーザのレベルに合う訓練を行うことができる。調整具１４は、複数の定位穴１４２を有する定位盤１４１と、ピン１４３と、を含む。定位盤１４１の定位穴１４２のうちの一つにピン１４３を選択的に挿入することにより、第１支持枠１１と第２支持枠１２の開角を固定できる。第２支持枠１２には、更に、電子計数装置４が設けられる。枢着端１０に第１握り部１０１が設けられる。第１握り部１０１の周面の両端にマット１０２がそれぞれ設けられる。第１支持枠１１の枢着端１０から遠ざかった一端に第１横ロッド１１１が設けられる。第２支持枠１２の枢着端から遠ざかった一端に第２横ロッド１２１が設けられる。第１支持枠１１には、更に、押付具１３が設けられる。押付具１３は、第１握り部１０１に平行するように設けられ、第１握り部１０１との間に隙間１３１がある。ユーザの脚部は隙間１３１に挿入できる。押付具１３の周面の両端にマット１３２がそれぞれ設けられる。
【００１３】
二つの弾性ロープ２は、第１横ロッド１１１の両端、又は第２横ロッド１２１の両端に脱着可能に設けられる。弾性ロープ２は、一端にハンドル２１が設けられ、他端にフック２２が設けられる。フック２２は、第１横ロッド１１１の両端にある固定具１１２、又は第２横ロッド１２１の両端にある固定具１２２に選択的に固定できる。
【００１４】
摺動装置３は、座当り３１と、摺動台３２と、を備える。摺動台３２の両側には、第２握り部３２１がそれぞれ設けられる。第２握り部３２１の周面の両端にマット３２２がそれぞれ設けられる。摺動台３２には、座当り３１が回動可能に設けられる。摺動台３２の上面の中央に枢着穴３２６が設けられる。座当り３１の下面には、枢着穴３２６に対応する枢着軸３１１が設けられる。枢着軸３１１は、枢着穴３２６に挿入して枢着穴３２６に対して回動できる。枢着軸３１１の周面に軸受３３が嵌め設けられる。軸受３３は、枢着軸３１１と枢着穴３２６の間に位置し、枢着軸３１１と枢着穴３２６の間にある隙間を除去できる。これにより、座当り３１の回動が更にスムーズとなる。摺動台３２は、第２支持枠１２をレールとして、第２支持枠１２を摺動でき、且つ座当り３１を駆動して移動できる。
【００１５】
摺動台３２には、第１ローラ３２３と、第２ローラ３２４と、第３ローラ３２５と、が設けられる。第１ローラ３２３は第２支持枠１２の上面を転がる。第２ローラ３２４は第２支持枠１２の下面を転がる。第３ローラ３２５は、第２支持枠１２の上面を転がり、第２ローラ３２４に平行するように設けられる。これにより、摺動台３２は第２支持枠１２をスムーズに摺動できる。第２支持枠１２には、更に、第１止め具１２３と、第２止め具１２４と、が設けられる。第１止め具１２３は枢着端１０に近接し、第２止め具１２４は第２横ロッド１２１に近接する。これにより、摺動装置３は第１止め具１２３と第２止め具１２４の間に摺動できる。
【００１６】
このように、本考案のボートこぎ健康器具によれば、自宅で手部、脚部、腰部及び背部を鍛錬でき、そして身体をプルアップすることもできる。ユーザが脚部を鍛錬したいときには、図４に示すように、第１支持枠１１と第２支持枠１２をある開角になして床面に立って、ユーザは、その背部が第１支持枠１１に向くように摺動装置３に座って、第２握り部３２１のマット３２２に両手を握って、床面に両足を踏んで、両足の力により摺動装置３を第２支持枠１２に沿って押上げ、両足の力を無くすと、摺動装置３が本来の位置に戻る。このような動作を繰り返すと、脚部の筋肉を鍛錬でき、脚部の曲線を綺麗にすることもできる。ユーザは身体をプルアップしたいときには、図５に示すように、第１支持枠１１と第２支持枠１２をある開角になして床面に立って、第１握り部１０１のマット１０２に両手を握って、座当り３１に膝を押付けて、手部及び背部の力により身体をプルアップすると共に、膝により摺動装置３を上方に移動する。このような動作を繰り返すと、手部及び背部の筋肉を鍛錬でき、手部及び背部の曲線を綺麗にすることもできる。ユーザは腰部及び腹部を鍛錬したいときには、図５及び図６に示すように、身体をプルアップしいるときに、腰部及び腹部による捻り力と膝の力により、摺動装置３を左右に旋回すると、腰部及び腹部の筋肉を鍛錬でき、腰部及び腹部の曲線を綺麗にすることもできる。また、ユーザは腰部及び腹部を鍛錬したいときには、別の姿勢で鍛錬することもでき、図７に示すように、第１支持枠１１と第２支持枠１２の開角を１８０度にするように、第１支持枠１１と第２支持枠１２を床面に設置して、ユーザが摺動装置３に座って、第１握り部１０１と押付部１３の間にある隙間１３１に踵を押付けて係止して、腰部の力により腰部を左右に捩じれ、これにより、摺動装置３を左右に旋回できる。このような動作を繰り返すと、腰部及び腹部の筋肉を鍛錬でき、腰部及び腹部の曲線を綺麗にすることもできる。ユーザがボートを漕ぐような運動をやりたいときには、図８に示すように、第１支持枠１１と第２支持枠１２の開角を１８０度にするように、第１支持枠１１と第２支持枠１２を床面に設置して、第１横ロッド１１１の固定具１１２に弾性ロープ２のフック２２を固定して、ユーザが摺動装置３に座って、第１握り部１０１と押付部１３の間にある隙間１３１に踵を押付けて係止して、弾性ロープ２のハンドル２１に両手を握って、手部の力により弾性ロープ２を後方に引くと共に、脚部及び腹部の力により摺動装置３を第１支持枠１１へ移動する。このような動作を繰り返すと、アーム、脚部及び腹部の筋肉を鍛錬でき、アーム、脚部及び腹部の曲線を綺麗にすることもできる。
【産業上の利用可能性】
【００１７】
本考案は、健康器具に適用することができる。
【符号の説明】
【００１８】
１：支持装置
２：弾性ロープ
３：摺動装置
４：電子計数装置
１０：枢着端
１１：第１支持枠
１２：第２支持枠
１３：押付具
１４：調整具
２１：ハンドル
２２：フック
３１：座当り
３２：摺動台
３３：軸受
１０１：第１握り部
１０２：マット
１１１：第１横ロッド
１１２：固定具
１２１：第２横ロッド
１２２：固定具
１２３：第１止め具
１２４：第２止め具
１３１：隙間
１３２：マット
１４１：定位盤
１４２：定位穴
１４３：ピン
３１１：枢着軸
３２１：第２握り部
３２２：マット
３２３：第１ローラ
３２４：第２ローラ
３２５：第３ローラ
３２６：枢着穴
【図１】
0003179285.tif 000003
【図２】
0003179285.tif 000004
【図３】
0003179285.tif 000005
【図４】
0003179285.tif 000006
【図５】
0003179285.tif 000007
【図６】
0003179285.tif 000008
【図７】
0003179285.tif 000009
【図８】
0003179285.tif 000010